(57)【要約】【課題】  ミーティングシステムの映像信号切り換え装置の提供。【解決手段】  信号伝送側と信号受信側を包含し、該信号伝送側に映像信号（ＶＧＡ）入力に接続された映像信号入力発送ユニット及びそれに並列接続された選択権制御及び電源受信変換ユニットが設けられ、該信号受信側に１−８チャネル映像信号選択ユニット、それに並列接続された１−８チャネル検出及び伝送側電源供給ユニット及びマイクロプロセッサが設けられ、更に映像信号出力の映像信号出力ユニットが接続され、これらのユニットとマイクロプロセッサの制御により、８個の信号伝送側の映像信号の切り換えを達成し、８個の使用者が自分で映像信号を切り換えられ、且つ壁内の配線に有利で伝送映像の品質を向上できるものとされる。【選択図】        図３
0003138007.tif 000002
【実用新案登録請求の範囲】
【請求項１】
ミーティングシステムの映像信号切り換え装置において、
信号伝送側であって、映像信号（ＶＧＡ）の入力に接続される映像信号入力発送ユニットと、該映像信号入力発送ユニットに並列に接続された選択権制御及び電源受信変換ユニットが設けられた、上記信号伝送側と、
信号受信側であって、１−８チャネル映像信号選択ユニット、及び、該１−８チャネル映像信号選択ユニットに並列に接続された１−８チャネル検出及び伝送側電源供給ユニットが設けられ、信号伝送側の信号を受信するのに供され、更に、該１−８チャネル映像信号選択ユニットと該１−８チャネル検出及び伝送側電源供給ユニットに接続されたマイクロプロセッサと、該１−８チャネル検出及び伝送側電源供給ユニットに接続された映像信号出力ユニットが設けられてた、上記信号受信側と、
を包含し、これらのユニットの組合せにより、ミーティングシステムの映像信号切り換え装置が構成され、該信号伝送側及び信号受信側がネットワーク線材で接続され、該信号伝送側の該映像信号入力発送ユニットが映像信号（ＶＧＡ）の入力信号に接続され、該選択権制御及び電源受信変換ユニットにより、８個の異なる使用者が自分で映像信号を切り換えられて、映像信号を該信号受信側に伝送した後、該マイクロプロセッサの制御により、８個の信号伝送側の映像信号の切り換えが達成され、８個の使用者が自分で映像信号を切り換えることができることを特徴とする、ミーティングシステムの映像信号切り換え装置。
【請求項２】
請求項１記載のミーティングシステムの映像信号切り換え装置において、該信号伝送側と該信号受信側が一般に標準のＶＧＡ線材の代りに５類或いは６類ネットワーク線材で接続されて壁内配線と伝送映像品質の向上に有利とされたことを特徴とする、ミーティングシステムの映像信号切り換え装置。
【考案の詳細な説明】
【技術分野】
【０００１】
本考案は一種のミーティングシステムの映像信号切り換え装置に係り、特に、５類或いは６類のネットワーク線材を接続して、一般に標準のＶＧＡ線材の代わりとし、一般の標準ＶＧＡ線材が長距離により発生する映像品質不良を改善し、並びに壁内配線の難度を改善する、映像信号切り換え装置に関する。
【背景技術】
【０００２】
一般に、映像信号装置は、通常、標準ＶＧＡ線材を使用し、直接コンピュータ及び切り換え器に接続されるが、比較的長い距離を介して接続される時は、このような方式は映像品質不良の状況を発生しやすい。一般にＶＧＡ線材は、そのコネクタが比較的大きく、これにより、壁内に配線する時は、施工が容易でないのみならず、作業の効率に影響を与える。また、映像信号切り換え選択権の制御は８個の使用者が一つの赤外線コントローラを共用するか、手動方式で映像信号切り換え器を制御し、赤外線リモートコントローラ或いは手動方式での映像信号切り換え器制御のいずれでも、使用者ははっきりと切り換えたいチャンネルを分かっていなければ、エラーが発生し、その操作は相当に不便である。このことから、使用に便利で、配線施工が容易である映像信号切り換え装置が求められている。
【考案の開示】
【考案が解決しようとする課題】
【０００３】
本考案の主要な目的は、一種のミーティングシステムの映像信号切り換え装置を提供し、それは映像切り換えに便利で、且つ５又は６類線材で一般の標準ＶＧＡ線材の代わりに使用して接続することで、一般の標準ＶＧＡ線材が長距離により発生する映像品質不良を改善し、並びに壁内配線の難度を改善し、施工に更に便利であるものとする。
【課題を解決するための手段】
【０００４】
本考案のミーティングシステムの映像信号切り換え装置は、信号伝送側と信号受信側を包含し、該信号伝送側に映像信号（ＶＧＡ）入力に接続された映像信号入力発送ユニット及び並列接続された選択権制御及び電源受信変換ユニットが設けられ、該信号受信側に１−８チャネル映像信号選択ユニット、並列接続された１−８チャネル検出及び伝送側電源供給ユニット及びマイクロプロセッサが設けられ、映像信号出力の映像信号出力ユニットが接続され、これらのユニットとマイクロプロセッサの制御により、８個の信号伝送側の映像信号の切り換えを達成し、８個の使用者が自分で映像信号を切り換えられ、且つ壁内の配線に有利で伝送映像の品質を向上できるものとされる。
【０００５】
前述のミーティングシステムの映像信号切り換え装置中、信号伝送側及び信号受信側は、５類或いは６類ネットワーク線材で接続され、一般に標準のＶＧＡ線材の代わりとされ、壁内配線と伝送映像品質を向上に有利である。
【考案の効果】
【０００６】
本考案のミーティングシステムの映像信号切り換え装置は、映像切り換えに便利で、且つ５又は６類線材で一般の標準ＶＧＡ線材の代わりに使用して接続することで、一般の標準ＶＧＡ線材が長距離により発生する映像品質不良を改善し、並びに壁内配線の難度を改善し、施工に更に便利である。
【考案を実施するための最良の形態】
【０００７】
図１及び図２を参照されたい。本考案は信号伝送側１と信号受信側２を包含する。そのうち、該信号伝送側１には映像信号（ＶＧＡ）の入力に接続される映像信号入力発送ユニット１１と、該映像信号入力発送ユニット１１に並列に接続された選択権制御及び電源受信変換ユニット１２が設けられている。
【０００８】
該信号受信側２には１−８チャネル映像信号選択ユニット２１、及び、該１−８チャネル映像信号選択ユニット２１に並列に接続された１−８チャネル検出及び伝送側電源供給ユニット２２が設けられ、信号伝送側１の信号を受信するのに供され、該信号受信側２には更に、該１−８チャネル映像信号選択ユニット２１と１−８チャネル検出及び伝送側電源供給ユニット２２に接続されたマイクロプロセッサ２３と、１−８チャネル検出及び伝送側電源供給ユニット２２に接続された映像信号出力ユニット２４が設けられている。
【０００９】
これらのユニットの組合せにより、ミーティングシステムの映像信号切り換え装置が構成され、該信号伝送側１及び信号受信側２は５類或いは６類ネットワーク線材で接続され、該信号伝送側１の映像信号入力発送ユニット１１が映像信号（ＶＧＡ）の入力信号に接続され、選択権制御及び電源受信変換ユニット１２により、８個の異なる使用者が自分で映像信号を切り換えられ、映像信号を該信号受信側２に伝送した後、マイクロプロセッサ２３の制御により、８個の信号伝送側１の映像信号の切り換えが達成され、８個の使用者が自分で映像信号を切り換えることができ、且つ信号伝送側１及び信号受信側２は、５類或いは６類ネットワーク線材で接続され、一般に標準のＶＧＡ線材の代わりとされ、壁内配線及び伝送映像品質の向上に有利である。
【００１０】
図３を参照されたい。本考案を使用するとき、図示されるように、八個の信号伝送側１はそれぞれ５類或いは６類ネットワーク線材３で信号受信側２に接続され、核信号伝送側１の映像信号入力発送ユニット１１はそれぞれ異なるコンピュータ４に接続されて、コンピュータ４の映像信号（ＶＧＡ）の入力信号に接続され、信号入力後に、該選択権制御及び電源受信変換ユニット１２により、８個の異なる使用者が自分で映像信号を切り換えることができ、さらに映像信号が５類或いは６類ネットワーク線材３で信号受信側２に送られ、マイクロプロセッサ２３の制御により、８個の信号伝送側１の映像信号の切り換えが達成され、映像信号が映像信号出力ユニット２４に接続されたディスプレイ５に現出され、８個の使用者が自分で映像信号を切り換えられる。
【００１１】
前述の信号伝送側１と信号受信側２の間は、５類或いは６類ネットワーク線材３で接続され、これにより一般に標準のＶＧＡ線材の代わりとされ、これにより一般に標準のＶＧＡ線材のコネクタが比較的大きいために施工しにくいという欠点を改善し、壁内配線に便利で且つ伝送映像の品質を向上できる。
【００１２】
総合すると、本考案は信号伝送側及び信号受信側に異なる回路ユニットを設けたミーティングシステムの映像信号切り換え装置により、映像の切り換えを更に便利とし、且つ５類或いは６類ネットワーク線材を一般に標準のＶＧＡ線材の代わりに採用することで、一般標準のＶＧＡ線材の長距離により発生する映像品質不良の問題を改善し、並びに壁内配線の難度の問題を改善し、施工に便利とする。ゆえに本考案は実用的な設計であり、新規性を有する。
【図面の簡単な説明】
【００１３】
【図１】本考案の信号伝送側の回路ブロック図である。
【図２】本考案の信号受信側の回路ブロック図である。
【図３】本考案の配線接続実施例図である。
【符号の説明】
【００１４】
１  信号伝送側                    １１  映像信号入力発送ユニット
１２  選択権制御及び電源受信変換ユニット
２  信号受信側                    ２１  １−８チャネル映像信号選択ユニット
２２  １−８チャネル検出及び伝送側電源供給ユニット
２３  マイクロプロセッサ          ２４  映像信号出力ユニット
３  ネットワーク線材              ４  コンピュータ
５  ディスプレイ
【図１】
0003138007.tif 000003
【図２】
0003138007.tif 000004
【図３】
0003138007.tif 000005